(57)【要約】【課題】  １〜８１の数字を配列して構成し、西暦を基にした生年月日と元号を基にした生年月日から運勢を占うことが出来る太占数霊曼荼羅の提供。【解決手段】  ３つ数字が縦・横に配列した９つグループと１〜９の数字を有す９つの基礎盤型から成り、基礎盤型には数字に該当するグループを配置することで太占数霊曼荼羅を構成する。【選択図】    図１
0003217127.tif 000002
【実用新案登録請求の範囲】
【請求項１】
書籍、雑誌、カード、その他の書面、又はＤＶＤ等の記録媒体に表示されて、１〜８１の数字を配列して構成される太占数霊曼荼羅であって、
９つの数字を配列した９つのグループと１〜９の数字を配列した９つの基本盤型を有し、
上記グループ１は上段左側から２８，７３，１０が配列し、中段左側から１９，３７，５５が配列し、下段左側から６４，１，４６が配列し、
上記グループ２は上段左側から２９，７４，１１が配列し、中段左側から２０，３８，５６が配列し、下段左側から６５，２，４７が配列し、
上記グループ３は上段左側から３０，７５，１２が配列し、中段左側から２１，３９，５７が配列し、下段左側から６６，３，４８が配列し、
上記グループ４は上段左側から３１，７６，１３が配列し、中段左側から２２，４０，５８が配列し、下段左側から６７，４，４９が配列し、
上記グループ５は上段左側から３２，７７，１４が配列し、中段左側から２３，４１，５９が配列し、下段左側から６８，５，５０が配列し、
上記グループ６は上段左側から３３，７８，１５が配列し、中段左側から２４，４２，６０が配列し、下段左側から６９，６，５１が配列し、
上記グループ７は上段左側から３４，７９，１６が配列し、中段左側から２５，４３，６１が配列し、下段左側から７０，７，５２が配列し、
上記グループ８は上段左側から３５，８０，１７が配列し、中段左側から２６，４４，６２が配列し、下段左側から７１，８，５３が配列し、
上記グループ９は上段左側から３６，８１，１８が配列し、中段左側から２７，４５，６３が配列し、下段左側から７２，９，５４が配列し、
上記基本盤型の数字に該当する番号のグループを配置して構成したことを特徴とする太占数霊曼荼羅。
【考案の詳細な説明】
【技術分野】
【０００１】
本考案は、人生における病気、事故、就職の種別、結婚や離婚などを推測・推量することが出来る太占数霊曼荼羅に関するものである。
【背景技術】
【０００２】
占いといってもその種類は数多く、占術ごとにその特徴がある。今日、一般的に知られている占いの種類とその特徴は次のようなものがある。
（１）手相、人相
手相とは掌に今の自分と将来の自分の姿が刻み込まれたメッセージであり、現状を見つめ直して手相から読み取られるメッセージを受け止めることで、自分を変えていくことが出来るとされる。
人相は顔から性格、運気、健康状態が分かり、自分自身で作り上げて行くものであるとされている。
【０００３】
（２）姓名判断
漢字の持つ意味や、数字が持つ神秘的な力の組み合わせによって判断するもので、名は体を表すといわれ、姓名とは常に自分の代表として日常生活や社会生活の中で付いてくる。
人の運命が姓名を構成する文字の画数などによって左右されることから、開運方法として効果的である。したがって、子供の名前、芸名、会社名など、その用途は幅広く使用されている。
【０００４】
（３）気学、風水
気学とは日本古来の伝統的な占いであり、日本独自のものである。この地上にあるもの全ては「気」という生体エネルギーによって影響されているもので、開運のために吉方位を選択することが出来る。
風水は気学とは違い、中国古来の占いである。日本の歴史に残る権力者は風水を活用しており、家の方角、玄関や寝室の位置を変えることで幸運を呼ぶことが出来るとされている。
【０００５】
（４）易学
中国、古来から歴史を持つ儒教の一つである易経の中の教えである。特定の物事の状態と変化を判断することが出来るために、色々な問題について占うことが出来る。全神経を集中させてサイコロを振ることで答えを得る易であり、偶然出た答えのようでありながら、実は必然的な答えであり、運命であるとされる。
【０００６】
（５）四柱推命
太古中国から発祥したもので、「過去・現在・未来」を予見する運命学である。高い的中率を誇ると言われ、はっきりと答えが出る占いである。生まれた時の年、月、日、時の４つの柱から生まれ持つ運勢を読み取り、その人の今後の人生と、流れを占うことが出来る。例えば、どのような生き方が適しているかを判断する場合に使うことが出来る。
【０００７】
（６）タロットカード
タロットの起源はユダヤのカバラ思想が理念となっている。カードの絵柄１枚１枚に秘められた神秘的なメッセージから、過去、現在、未来が明確に写し出される。カードには宇宙からのメッセージを受け取ることが出来る不思議な力があり、鑑定師が持っている力を最大限に発揮できるもので、物事の原因・心理から現在の状態を判断し、未来の状況や心理的体験を占い、問題解決の糸口を見出すことが出来る。
【０００８】
（７）西洋占星術
地球を中心に考えた太陽系の惑星と我々の関係である。生まれた時の天体の配置が地上で起こる現象や、我々の心理に働き掛ける。生まれた時の天体の配置を知ることで、心の感じ方や未来が予測出来るとされる。
【０００９】
このように占いは昔から色々知られており、それぞれに特徴があり、用途に応じて使い分けられる。
ところで、これらの占いは理論的な根拠は存在しないが、古来から集積された統計に基づいて構築された考えであり、一種の統計学と言うことも出来る。したがって、占いに基づいて判断するに際して、１００％当たるものではないが、これから先の人生を歩む指針として大きな参考になることは間違いない。
【００１０】
例えば、人生において厄年と言われる年が昔から存在し、この厄年には神社で厄払いを行うことが一般的である。統計を取るならば、厄年には病気になったり色々な災難に遭遇するケースが多いことは事実である。
また、年間を通して交通事故が多い月日も統計で明らかに成っている。占いはこのような統計を基にして構築されているために、無視することは出来ない。
【００１１】
しかし、これら従来の占いを全くの素人が理解することは困難であり、しかも市販されている占い誌を使いこなすことは容易でない。占いを商売としている占い師は多く存在し、そのために素人が簡単に使いこなすことが出来るように記載したのでは占い師にとっては好ましくないといった理由もある。
【００１２】
特開２００７−２４１６８９号に係る「四柱推命六十干支求め表セット」は、四柱推命占いにおいて、占い対象者の年柱、月柱、日柱の夫々の六十干支を、嵩張る萬年暦を用いずに簡単に知ることが出来る。
すなわち、番号付きの『六十干支表』と、各年号に対する各月の「節入り」の日を印した『節入り表』と、各年号の年柱、月柱、日柱の各六十干支の番号を求めるための『基本数表』とからなり、基本数表から計算によって得た数字を、『六十干支表』から選んで、対応する各六十干支を知るように構成している。
【００１３】
実用新案登録第３１９７１０６号に係る「解析統計万年暦」は、人が私生活において、使うことを控えたい数字と使うことが好ましい数字を順次表示した解析統計万年暦として出願人が以前に創作したものである。
すなわち、この万年暦は書籍、雑誌、カード、又はＤＶＤなどの記録媒体に記載され、各年度の月ごとに、使うことを控えたい数字から使うことが好ましい数字を順次配列し、数字間には＜や・などの記号を記入して配列順を表示している。
【００１４】
【特許文献１】特開２００７−２４１６８９号に係る「四柱推命六十干支求め表セット」
【特許文献２】実用新案登録第３１９７１０６号に係る「解析統計万年暦」
【考案の開示】
【考案が解決しようとする課題】
【００１５】
このように、占いといっても世間には数多く存在している。しかし、素人にとって数多くある占いを理解して自分なりに使いこなすことは容易でない。本考案が解決しようとする課題はこの問題点であり、実用新案登録第３１９７１０６号に係る「解析統計万年暦」を基にして、病気、事故、就職の種別、結婚や離婚などを推測・推量することが出来る太占数霊曼荼羅を提供する。
【課題を解決するための手段】
【００１６】
本考案に係る太占数霊曼荼羅は１〜８１の数字で構成され、９つのグループに分けられ、各グループは縦方向３つの数字と横方向に３つの数字を有した合計９つの数字から成っている。ここで、グループ１は横方向に配列している上段、中段、下段の３つの数字の合計は１１１と成り、縦方向に配列している数字の合計も１１１と成っている。
グループ２はグループ１を構成する数字より１つだけ大きな数字から成り、そのために縦方向に配列した数字の合計は１１４となり、横方向に配列した数字の合計も１１４としている。
【００１７】
グループ３の場合はグループ２に対して１つ大きな数字で構成し、その為に縦方向に配列した数字の合計は１１７となり、横方向に配列した数字の合計も１１７としている。
グループ４の場合はグループ３に対して１つ大きな数字で構成し、その為に縦方向に配列した数字の合計は１２０となり、横方向に配列した数字の合計も１２０としている。
グループ５の場合はグループ４に対して１つ大きな数字で構成し、その為に縦方向に配列した数字の合計は１２３となり、横方向に配列した数字の合計も１２３としている。
【００１８】
グループ６の場合はグループ５に対して１つ大きな数字で構成し、その為に縦方向に配列した数字の合計は１２６となり、横方向に配列した数字の合計も１２６としている。
グループ７の場合はグループ６に対して１つ大きな数字で構成し、その為に縦方向に配列した数字の合計は１２９となり、横方向に配列した数字の合計も１２９としている。
グループ８の場合はグループ７に対して１つ大きな数字で構成し、その為に縦方向に配列した数字の合計は１３２となり、横方向に配列した数字の合計も１３２としている。
グループ９の場合はグループ８に対して１つ大きな数字で構成し、その為に縦方向に配列した数字の合計は１３５となり、横方向に配列した数字の合計も１３５としている。
【００１９】
一方、１〜９の数字にて構成される９つの基本盤型を有している。グループ１は基本盤型の１に配置し、グループ２は基本盤型の２に配置される。同じように、グループ３は基本盤型の３に、グループ４は基本盤型の４に、グループ５は基本盤型の５に、グループ６基本盤型の６に、グループ７は基本盤型の７に、グループ８は基本盤型の８に、グループ９は基本盤型の９にそれぞれ配置されることで、本考案の「太占数霊曼荼羅」が構成される。
この基本盤型は１〜９の数字が配列して構成され、所定のマス目の数字は順次変わって全部で９つの基本盤型と成っている。
【考案の効果】
【００２０】
本考案の太占数霊曼荼羅を用いることで、運勢の良さ悪さ、偏り傾向、分布状況を知ることが出来る。
すなわち、西暦を基にした生年月日を個々の数字に展開すると共に、全ての数字を合計し、合計した数字をさらに展開すると共に全ての数字を合計する。これを繰り返して一桁の数字にしたところで、この数字に該当する太占数霊曼荼羅を決定することが出来る。すなわち、中央に配置される下端中央の数字が一致する太占数霊曼荼羅が決められる。
【００２１】
そして、元号での生年月日を基にして、太占数霊曼荼羅から数字を選択する。選択した数字を含むグループを選び、このグループが実用新案登録第３１９７１０６号に係る「解析統計万年暦」の数字と比較し、ラッキーナンバーであるか、又はアンラッキーナンバーであるかを知ることが出来る。すなわち、運勢の良さ悪さ、偏り傾向、分布状況を知ることが出来る。
【図面の簡単な説明】
【００２２】
【図１】基本盤型（ｅ）を基にした太占数霊曼荼羅。
【図２】１〜９で構成する９つの基本盤型を示している。
【図３】３つの数字を縦・横方向に配列してなる９つのグループを表している。
【図４】基本盤型（ａ）を基にした太占数霊曼荼羅。
【図５】基本盤型（ｂ）を基にした太占数霊曼荼羅。
【図６】基本盤型（ｃ）を基にした太占数霊曼荼羅。
【図７】基本盤型（ｄ）を基にした太占数霊曼荼羅。
【図８】基本盤型（ｆ）を基にした太占数霊曼荼羅。
【図９】基本盤型（ｇ）を基にした太占数霊曼荼羅。
【図１０】基本盤型（ｈ）を基にした太占数霊曼荼羅。
【図１１】基本盤型（ｉ）を基にした太占数霊曼荼羅。
【図１２】生年月日を展開することで、該当する太占数霊曼荼羅を決める具体的な方法。
【図１３】図１２で得られた数字を基にして○印を付した太占数霊曼荼羅。
【図１４】実用新案登録第３１９７１０６号に係る「解析統計万年暦」を基にして得られる数字の配列。
【図１５】太占数霊曼荼羅を基にして運勢を判断する方法。
【考案を実施するための形態】
【００２３】
図１は本考案に係る「太占数霊曼荼羅」を示す１具体例である。この太占数霊曼荼羅は上段左から数字３１，７６，１３・・・・が配列されている。すなわち、縦方向と横方向にそれぞれ９列の数字が配列され、全体で８１の数字でもって構成されている。そして、該太占数霊曼荼羅は縦方向に３つのグループと横方向に３つのグループを配列した合計９つのグループから成っている。
【００２４】
ところで、図２は太占数霊曼荼羅を構成する９つのグループの配列形態を表している基本盤型である。
上記図１に示す太占数霊曼荼羅は図２（ｅ）に示す基本盤型に基づいて構成している。グループ４，９，２・・・は縦の列の数字４＋３＋８＝１５、９＋５＋１＝１５、２＋７＋６＝１５となる。また、横の列の数字４＋９＋２＝１５、３＋５＋７＝１５、８＋１＋６＝１５となる。さらに、斜めの列の数字２＋５＋８＝１５、４＋５＋６＝１５に成っている。
【００２５】
グループ１は図３（ａ）に示すように、上段は左側から数字２８，７３，１０が、中段は左側から数字１９，３７，５５が、下段は左側から数字６４，１，４６が配列している。
ここで、該グループ１は、横列の数字を合計すると１１１となり、縦列の数字を合計すると１１１となり、斜め方向の数字を合計すると同じく１１１と成っている。そして、枠内の数字はどれを足しても「１」となる。
例えば、２８→２＋８→１０→１＋０→「１」
【００２６】
グループ２は図３（ｂ）に示すように、上段は左側から数字２９，７４，１１が、中段は左側から数字２０，３８，５６が、下段は左側から数字６５，２，４７が配列している。
ここで、該グループ２は、横列の数字を合計すると１１４となり、縦列の数字を合計すると１１４となり、斜め方向の数字を合計すると同じく１１４と成っている。そして、枠内の数字はどれを足しても「２」となる。
例えば、５６→５＋６→１１→１＋１→「２」
【００２７】
上記グループ３は図３（ｃ）に示すように、上段は左側から数字３０，７５，１２が、中段は左側から数字２１，３９，５７が、下段は左側から数字６６，３，４８が配列している。
ここで、該グループ３は、横列の数字を合計すると１１７となり、縦列の数字を合計すると１１７となり、斜め方向の数字を合計すると同じく１１７と成っている。そして、枠内の数字はどれを足しても「３」となる。
【００２８】
グループ４は図３（ｄ）に示すように、上段は左側から数字３１，７６，１３が、中段は左側から数字２２，４０，５８が、下段は左側から数字６７，４，４９が配列している。
ここで、該グループ４は、横列の数字を合計すると１２０となり、縦列の数字を合計すると１２０となり、斜め方向の数字を合計すると同じく１２０と成っている。そして、枠内の数字はどれを足しても「４」となる。
【００２９】
上記グループ５は図３（ｅ）に示すように、上段は左側から数字３２，７７，１４が、中段は左側から数字２３，４１，５９が、下段は左側から数字６８，５，５０が配列している。
ここで、該グループ５は、横列の数字を合計すると１２３となり、縦列の数字を合計すると１２３となり、斜め方向の数字を合計すると同じく１２３と成っている。そして、枠内の数字はどれを足しても「５」となる。
【００３０】
グループ６は図３（ｆ）に示すように、上段は左側から数字３３，７８，１５が、中段は左側から数字２４，４２，６０が、下段は左側から数字６９，６，５１が配列している。
ここで、該グループ６は、横列の数字を合計すると１２６となり、縦列の数字を合計すると１２６となり、斜め方向の数字を合計すると同じく１２６と成っている。そして、枠内の数字はどれを足しても「６」となる。
【００３１】
上記グループ７は図３（ｇ）に示すように、上段は左側から数字３４，７９，１６が、中段は左側から数字２５，４３，６１が、下段は左側から数字７０，７，５２が配列している。
ここで、該グループ７は、横列の数字を合計すると１２９となり、縦列の数字を合計すると１２９となり、斜め方向の数字を合計すると同じく１２９と成っている。そして、枠内の数字はどれを足しても「７」となる。
【００３２】
グループ８は図３（ｈ）に示すように、上段は左側から数字３５，８０，１７が、中段は左側から数字２６，４４，６２が、下段は左側から数字７１，８，５３が配列している。
ここで、該グループ８は、横列の数字を合計すると１３２となり、縦列の数字を合計すると１３２となり、斜め方向の数字を合計すると同じく１３２と成っている。そして、枠内の数字はどれを足しても「８」となる。
【００３３】
グループ９は図３（ｉ）に示すように、上段は左側から数字３６，８１，１８が、中段は左側から数字２７，４５，６３が、下段は左側から数字７２，９，５４が配列している。
ここで、該グループ９は、横列の数字を合計すると１３５となり、縦列の数字を合計すると１３５となり、斜め方向の数字を合計すると同じく１３５と成っている。そして、枠内の数字はどれを足しても「９」となる。
【００３４】
ところで、上記図１に示した太占数霊曼荼羅は前記図３に表した各グループにて構成している。すなわち、上段の左側からグループ４、グループ９、グループ２が配置され、中段の左側からグループ３、グループ５、グループ７が配置され、下段の左側からグループ８、グループ１、グループ６が配置されている。
【００３５】
図４に示す太占数霊曼荼羅は図２の（ａ）に示す各グループ９，５，７・・・が配置されて構成している。
図５に示す太占数霊曼荼羅は図２の（ｂ）に示す各グループ１，６，８・・・が配置されて構成している。
図６に示す太占数霊曼荼羅は図２の（ｃ）に示す各グループ２，７，９・・・が配置されて構成している。
【００３６】
図７に示す太占数霊曼荼羅は図２の（ｄ）に示す各グループ３，８，１・・・が配置されて構成している。
図８に示す太占数霊曼荼羅は図２の（ｆ）に示す各グループ５，１，３・・・が配置されて構成している。
図９に示す太占数霊曼荼羅は図２の（ｇ）に示す各グループ６，２，４・・・が配置されて構成している。
【００３７】
図１０に示す太占数霊曼荼羅は図２の（ｈ）に示す各グループ７，３，５・・・が配置されて構成している。
図１１に示す太占数霊曼荼羅は図２の（ｉ）に示す各グループ８，４，６・・・が配置されて構成している。
【００３８】
以下に本考案の太占数霊曼荼羅の活用方法について説明する。
例えば、昭和３７年１１月１８日生れの男性の場合、上記生年月日は西暦に直すと、１９６２年１１月１８日生れとなる。
この生年月日の数字を展開し、個々の数字を合せるならば、１＋９＋６＋２＋１＋１＋１＋８＝２９となる。
２９は２＋９＝１１となり、１１は１＋１＝２となる。
【００３９】
このように換算して得られる数字「２」は、中央部のグループ下段中央の数字が
「２」となる太占数霊曼荼羅が用いられる。すなわち、図５に示した太占数霊曼荼羅
を使用することが出来る。
図１２は昭和３７年１１月１８日生れの場合の各数字の展開式である。
３７＋１８＝５５、３７＋１１＝４８、１１＋１８＝２９、３７＋１１＋１８＝６６
となる。
【００４０】
図１３は図５の太占数霊曼荼羅において、上記数字３７，１１，１８、５５，４８，２９，６６に○印を付している。
図１４は実用新案登録第３１９７１０６号に係る「解析統計万年暦」に記載されている昭和３７年１１月１８日生まれの男性の数列を表している。
【００４１】
図１５は前記１３に示した太占数霊曼荼羅の○印を付した各グループを四角形の太線で囲っている。ここで、３７と５５を含むグループ１は図１４のラッキーナンバー１に該当する。１８を含むグループ９は図１４のラッキーナンバー９に該当する。２９と１１を含むグループ２はラッキーナンバー２に該当する。さらに、６６と４８を含むグループ３はラッキーナンバー３に該当する。
【００４２】
ところで、昭和３７年１１月１８日生れの男性の場合、太占数霊曼荼羅から得られる数字から「解析統計万年暦」に記載している数列を用いて判断するならば、ラッキーナンバー１位〜４位に収まり、運勢的に非常に良いと言える。
ところで、本考案は太占数霊曼荼羅に関するものであって、その使い方に関しては
限定しないことにする。
本考案の太占数霊曼荼羅を表示する手段としては、書籍、雑誌、カード、その他の書面、又はＤＶＤ等の記録媒体に記載することが出来る。
【図１】
0003217127.tif 000003
【図２】
0003217127.tif 000004
【図３】
0003217127.tif 000005
【図４】
0003217127.tif 000006
【図５】
0003217127.tif 000007
【図６】
0003217127.tif 000008
【図７】
0003217127.tif 000009
【図８】
0003217127.tif 000010
【図９】
0003217127.tif 000011
【図１０】
0003217127.tif 000012
【図１１】
0003217127.tif 000013
【図１２】
0003217127.tif 000014
【図１３】
0003217127.tif 000015
【図１４】
0003217127.tif 000016
【図１５】
0003217127.tif 000017